(57)【要約】【課題】部品増設を伴わないで、省電力化を図ることができる自動取引装置と、これに用いる紙幣入出金装置とを提供する。【解決手段】  通信回線４１を介して外部と通信を行う上位制御部３０と、紙幣の搬送を行う搬送部２３と、上位制御部との通信状態を監視すると共に、搬送部を制御する制御部２１とを備える紙幣入出金装置２０とを備える自動取引装置１０であって、制御部は、上位制御部との未通信時間を計測し、この計測時間が所定時間より長いとき、搬送部を省電力モードで制御する。【選択図】図２
2010176601.tif 000002
【特許請求の範囲】
【請求項１】
通信回線を介して外部と通信を行う上位制御部と、
紙幣の搬送を行う搬送部と、前記上位制御部との通信状態を監視すると共に、前記搬送部を制御する制御部とを備える紙幣入出金装置とを備える自動取引装置であって、
前記制御部は、前記上位制御部との未通信時間を計測し、この計測時間が所定時間より長いとき、前記搬送部を省電力モードで制御することを特徴とする自動取引装置。
【請求項２】
前記紙幣入出金装置は、発光部材を用いて紙幣の認識を行う識別部をさらに備え、
前記制御部は、前記計測時間が前記発光部材の立ち上がり時間（安定化時間）により規定される閾値時間より長いとき、前記識別部を省電力モードで制御することを特徴とする請求項１に記載の自動取引装置。
【請求項３】
前記制御部は、前記上位制御部との間の通信が再開された場合に通常モードに復帰することを特徴とする請求項１又は請求項２に記載の自動取引装置。
【請求項４】
顧客の接近を検出する接近検知部を更に備え、
前記上位制御部は、前記接近検知部が接近を検知したときに、前記紙幣入出金装置を通常モードに復帰させることを特徴とする請求項１又は請求項２に記載の自動取引装置。
【請求項５】
取引媒体を内部に受け入れて処理する自動取引装置であって
通信回線を介して外部と通信を行う上位制御部と、
前記上位制御部との通信状態を監視すると共に、前記取引媒体の受入を制御する制御部とを備え、
前記制御部は、前記上位制御部との未通信時間を計測し、この計測時間が所定時間より長くなったとき、前記取引媒体の内部への受入を可能にした状態で省電力モードに切り替える制御をすることを特徴とする自動取引装置。
【請求項６】
顧客が取引操作を行う顧客操作部と、紙幣の入出金を行う紙幣入出金装置と、自動取引装置各部の制御を行う上位制御部とを備える自動取引装置において、
前記紙幣入出金装置は、発光部材を用いて前記紙幣の認識を行う識別部を備え、
前記上位制御部は、
前記紙幣入出金装置内部の制御部と前記上位制御部との間の通信が予め設定された所定時間以上途絶えた場合に前記顧客操作部と前記紙幣入出金装置とを除く自動取引装置の各部を省電力モードで制御し、前記制御部と前記上位制御部との間の通信が、前記発光部材の立ち上がり時間より長い閾値時間以上途絶えた場合に前記紙幣入出金装置を省電力モードで制御し、
前記制御部と前記上位制御部との間の通信が再開された場合に通常モードに復帰して制御することを特徴とする自動取引装置。
【請求項７】
紙幣の搬送を行う搬送部と、
上位制御部との通信状態を監視すると共に、前記搬送部を制御する制御部とを備えた紙幣入出金装置であって、
前記制御部は、前記上位制御部との未通信時間を計測し、この計測時間が所定時間より長いとき、前記搬送部を省電力モードで制御することを特徴とする紙幣入出金装置。
【請求項８】
媒体の搬送を行う搬送部と、
上位制御部との通信状態を監視すると共に、前記搬送部を制御する制御部とを備えた複合機であって、
前記制御部は、前記上位制御部との未通信時間を計測し、この計測時間が所定時間より長いとき、前記搬送部を省電力モードで制御することを特徴とする複合機。
【発明の詳細な説明】
【技術分野】
【０００１】
本発明は、自動取引装置及び紙幣入出金装置に関し、部品増設を伴わないで、省電力化を図ることができる自動取引装置と、これに用いる紙幣入出金装置に関する。
【背景技術】
【０００２】
銀行等で使用される自動取引装置（ＡＴＭ:Automatic Teller Machine）には省電力化が求められている。
従来、自動取引装置における省電力の方法としていくつかの例が報告されている。例えば、顧客検知手段によって顧客が検知されなくなってから新たな顧客が検出されるまでの時間を計時すると共に、混雑時期か閑散時期か否かを判定することにより、省電力モードへ移行するまでの切り替え時間を設定し直すことで、省電力化を図りながら顧客の待ち時間を少なくする省電力方法（特許文献１参照）が開示されている。また、省電力モードを解除して通常モードに入る際に、顧客情報の入力を先に行わせて媒体搬送手段の立上げまでに必要な時間に余裕を持たせた自動取引装置（特許文献２参照）が開示されている。利用者の入室を検出するセンサから直接通信を受けて利用者の入室を検出すると省電力モードから通常モードに復旧するようにして立上げまでの時間に余裕を持たせた現金自動取引装置（特許文献３参照）についても開示されている。
【０００３】
また、自動取引装置ではないが、コピーモード、ファクシミリモード、省電力モードを取りうる通信端末装置であって、通常モードに復帰する際のコピーモード、ファクシミリモードの選択を可能にした通信端末装置（特許文献４参照）が開示されている。また、ファクシミリやプリンタとして使用できる通信機器に用いる制御装置であって、外部から電源の投入を可能にして安定状態になったときに通知する省エネ制御装置（特許文献５参照）が開示されている。
【０００４】
そして、省電力化とは直接関係しないが、顧客が背後に人の気配を感じた場合に紙幣や効果の入出金部のシャッタの蓋を閉じるようにした自動取引装置（特許文献６参照）が開示されている。また、発光ダイオードの点灯、消灯に要する時間を短縮して立ち上げ時間を短くするために、消灯時にも点灯しない程度のバイアス電圧を掛けておいて点灯にかかる時間を短縮させ、消灯させるときは放電用トランジスタを導通させて内部電荷を強制的に放電させることで消灯にかかる時間を短縮させた発光ダイオード駆動回路（特許文献７参照）が開示されている。
【先行技術文献】
【特許文献】
【０００５】
【特許文献１】特開平１１−２５９７２９号公報
【特許文献２】特許第３９３６４８６号公報
【特許文献３】特開２００７−３０４７４０号公報
【特許文献４】特開２００３−８７９０号公報
【特許文献５】特開２００６−３５２９１４号公報
【特許文献６】特開２００８−５９３５７号公報
【特許文献７】特許第３１８１７７０号公報
【発明の概要】
【発明が解決しようとする課題】
【０００６】
一般的に、自動取引装置においては、制御部が自動取引装置を構成する複数の部位を適宜制御することによって、省電力化を図っていた。ところで、自動取引装置には、通常、紙幣入出金装置が備えられているが、この紙幣入出金装置は、自動取引装置を構成している部位の中でも電力消費が最も多い部位である。したがって、自動取引装置の省電力化を有効に図るためには、他部位に比べて消費電力の大きな紙幣入出金装置を独立に省電力化制御を行うことが好ましい。
【０００７】
一方、前記したように従来の方法においては、紙幣入出金装置に新たに近接センサ等の部品を増設すること等を行うことにより省電力化を行っていた。新たに近接センサ等の部品を増設することは、紙幣入出金装置の製造コスト増加を伴うことになってしまう等の問題があり、予め自動取引装置に備えられた近接センサを利用することで対応することが好ましい。
【０００８】
本発明は、このような問題を解決するためになされたものであり、部品増設を伴わないで、省電力化を図ることができる自動取引装置と、これに用いる紙幣入出金装置とを提供することを目的とする。
【課題を解決するための手段】
【０００９】
前記目的を達成するため、本発明の一の手段である自動取引装置は、通信回線を介して外部と通信を行う上位制御部と、紙幣の搬送を行う搬送部と、前記上位制御部との通信状態を監視すると共に、前記搬送部を制御する制御部とを備える紙幣入出金装置とを備える自動取引装置であって、前記制御部は、前記上位制御部との未通信時間を計測し、この計測時間が所定時間より長いとき、前記搬送部を省電力モードで制御することを特徴とする。
【００１０】
また、前記目的を達成するため、本発明の他の手段である自動取引装置は、取引媒体を内部に受け入れて処理する自動取引装置であって通信回線を介して外部と通信を行う上位制御部と、前記上位制御部との通信状態を監視すると共に、前記取引媒体の受入を制御する制御部とを備え、前記制御部は、前記上位制御部との未通信時間を計測し、この計測時間が所定時間より長くなったとき、前記取引媒体の内部への受入を可能にした状態で省電力モードに切り替える制御をすることを特徴とする。
【００１１】
また、前記目的を達成するため、本発明のさらに他の手段である自動取引装置は、顧客が取引操作を行う顧客操作部と、紙幣の入出金を行う紙幣入出金装置と、自動取引装置各部の制御を行う上位制御部とを備える自動取引装置において、前記紙幣入出金装置は、発光部材を用いて前記紙幣の認識を行う識別部を備え、前記上位制御部は、前記紙幣入出金装置内部の制御部と前記上位制御部との間の通信が予め設定された所定時間以上途絶えた場合に前記顧客操作部と前記紙幣入出金装置とを除く自動取引装置の各部を省電力モードで制御し、前記制御部と前記上位制御部との間の通信が、前記発光部材の立ち上がり時間より長い閾値時間以上途絶えた場合に前記紙幣入出金装置を省電力モードで制御し、前記制御部と前記上位制御部との間の通信が再開された場合に通常モードに復帰して制御することを特徴とする。
【００１２】
そして、前記目的を達成するため、本発明の紙幣入出金装置は、紙幣の搬送を行う搬送部と、上位制御部との通信状態を監視すると共に、前記搬送部を制御する制御部とを備えた紙幣入出力金装置であって、前記制御部は、前記上位制御部との未通信時間を計測し、この計測時間が所定時間より長いとき、前記搬送部を省電力モードで制御することを特徴とする。
【００１３】
また、前記目的を達成するため、本発明の複合機は、媒体の搬送を行う搬送部と、上位制御部との通信状態を監視すると共に、前記搬送部を制御する制御部とを備えた複合機であって、前記制御部は、前記上位制御部との未通信時間を計測し、この計測時間が所定時間より長いとき、前記搬送部を省電力モードで制御することを特徴とする。
【発明の効果】
【００１４】
本発明によれば、部品増設を伴わないで、省電力化を図ることができる自動取引装置と、これに用いる紙幣入出金装置とを提供することができる。
【図面の簡単な説明】
【００１５】
【図１】本発明の自動取引装置の外観図である。
【図２】本発明の自動取引装置の構成を示すブロック図である。
【図３】紙幣入出金装置の機能ブロック図である。
【図４】紙幣入出金装置の省電力モード移行処理のフローチャートである。
【図５】紙幣入出金装置の省電力モードからの復旧を含めた取引処理のフローチャートである。
【発明を実施するための形態】
【００１６】
図１乃至図３を参照して、本発明の自動取引装置及び紙幣入出金装置について説明する。図１は、本発明の自動取引装置の外観図であり、図２は、この自動取引装置の構成を示すブロック図である。そして、図３は、この自動取引装置に組み込まれた紙幣入出金装置の構成を示すブロック図である。
【００１７】
まず、本発明の自動取引装置について図１及び図２を参照して説明する。図１及び図２において、自動取引装置１０は、カード処理部１１、通帳処理部１２、明細票処理部１３、顧客操作部１４、内部操作部１５、硬貨入出金装置１６、音声案内部１７、割込発生器１８、接近検知部１９、紙幣入出金装置２０、そして自動取引装置１０各部の制御を行う上位制御部３０、上位制御部３０の記憶手段としてのＨＤＤ３２、上位制御部３０と紙幣入出金装置２０との間の専用通信機能を司る通信制御部３３、及び、通信部３１を備えて構成されている。そして、この通信部３１は、ネットワーク４１を介して外部の記憶装置４２に接続する通信部４０との通信を行う通信部３１を備えて構成されている。
【００１８】
カード処理部１１は、顧客の所有するキャッシュカード５１が挿入された場合に、キャッシュカード５１に記憶されている顧客の口座番号や氏名等の顧客情報、金融機関のコードを読み出す機能を有する。カード処理部１１の前面側にはカード挿入排出口１１ａが設けられており、ここでキャッシュカード５１の挿入又は排出が行われる。カード挿入排出口１１ａには、キャッシュカード５１が顧客により挿入されたことや、抜き取られたことを検出する検出センサ（図示せず）が設けられている。
【００１９】
通帳処理部１２は、通帳挿入排出口１２ａから挿入される顧客の通帳５２に取引内容を印字するもので、通帳５２に記載された情報を読み取る機能、さらには印字頁行の検出や改頁を行う機能を有する。ここで処理された通帳５２は、通帳挿入排出口１２ａに排出される。通帳挿入排出口１２ａには、通帳５２が顧客により挿入されたことや、抜き取られたことを検出する検出センサ（図示せず）が設けられている。そして、明細票処理部１３は、取引明細の印字を行って顧客に対して取引明細票（図示せず）の発行処理を行うものである。
【００２０】
顧客操作部１４は、顧客に対する操作誘導の画面を表示する表示部１４ａと、取引科目や金額等を入力するためのタッチパネル部１４ｂとを備えて構成される。表示部１４ａは、取引科目である「入金」、「引出し」、「振込」等の画面を表示する。一方、タッチパネル部１４ｂは、顧客が表示部１４ａに表示された金額や暗証番号を入力するテンキーの画面内の所望の表示部分に指を触れることで、指が触れた表示部分に対応付けられた情報の入力を行う。そして、内部操作部１５は、直接顧客との関わりはないが、顧客の操作誘導に関する内部バックアップを行う。
【００２１】
硬貨入出金装置１６は、入金取引時に顧客から入金される硬貨を真偽鑑別、計数し、搬送して図示しない入出金庫に金種別に収納すると共に、出金取引時に顧客に支払われる硬貨を入出金庫から繰り出すものである。硬貨入出金装置１６と硬貨入出金口１６ａとは図示しない硬貨搬送路によって接続されている。硬貨入出金口１６ａは、顧客が硬貨を投入し、又は顧客に支払われる硬貨が送り込まれる部分であり、硬貨入出金口１６ａの上部には開閉可能なシャッタ１６ｂが設けられている。また、硬貨入出金口１６ａの内部には、図示しないが、硬貨が顧客により挿入され、あるいは抜き取られたことを検出する検出センサが設けられている。
【００２２】
音声案内部１７は、音声によって顧客に対して操作案内を行うもので、自動取引装置１０に設けられたスピーカ１７ａから音声を出力させる。
【００２３】
そして、割込発生器１８は、例えば、接近検知部１９の近接センサ１９ａ等により、非定常に割込み操作等が発生した場合の対応処理を行う。
【００２４】
また、自動取引装置１０の前面には、接近検知部１９に直結する近接センサ１９ａが配設されており、この接近検知部１９が顧客の接近を検知する。そして、例えば、近接センサ１９ａにより顧客の接近を探知したときに紙幣入出金装置２０を含む自動取引装置１０が省電力モードであった場合には、紙幣入出金装置２０の制御部２１は、前記割込発生器１８を介して紙幣入出金装置２０を通常モードに復帰させる。
【００２５】
そして、紙幣入出金装置２０及び硬貨入出金装置１６は、詳細は図３を参照して後記するが、本発明の省電力化の対象となる電力消費が多い部材（例えば、モータや、ランプ等の発光部材）を備えた構成要素である。したがって、この紙幣入出金装置２０の制御部２１（図３参照）及び硬貨入出金装置１６の図示せぬ制御部は、自動取引装置１０の上位制御部３０との通信状態を監視すると共に、自動取引装置１０の省電力モードを実現する主体となる。
【００２６】
上位制御部３０は、自動取引装置１０の各部位を制御すると共にネットワーク４１等の通信回線を介して外部との通信を行うための主要構成要素である。この上位制御部３０は、ＲＡＭ（Random Access Memory）やＲＯＭ（Read Only Memory）等を内蔵したＣＰＵ（Central Processing Unit）であり、内部にはタイマ３５が設けられている。タイマ３５は、上位制御部３０のプログラムによって動作し、通帳５２やキャッシュカード５１あるいは紙幣が排出された際に、抜き取り監視時間を計時するものである。この抜き取り監視時間とは、媒体（通帳、キャッシュカード及び貨幣）を排出した後に所定の時間が経過しても媒体の抜き取りが検出されない場合、この媒体を装置内に取り込むための基準となる時間である。
【００２７】
ＨＤＤ（Hard Disk Drive）３２は、上位制御部３０が各種の制御を行うためのプログラムが格納されている。通信部３１は、上位制御部３０の制御によって、外部の上位装置である通信部４０との通信を、ネットワーク４１を介して行う。これにより、ＨＤＤ３２に格納されているプログラムが更新される。通信部４０は、顧客ごとの口座番号や預貯金残高情報等を記憶している記憶装置４２に接続されている。
【００２８】
次に、図３を参照して、本実施形態の紙幣入出金装置２０について説明する。紙幣入出金装置２０は、制御部２１、入出金庫２２、搬送部２３、識別部２４、一時保留部２５、及び、接客部２６を備えて構成されている。
【００２９】
制御部２１は、自動取引装置１０の上位制御部３０との通信状態を監視すると共に、プログラムに従って紙幣入出金装置２０各部の動作を制御するＣＰＵ２１１、プログラムを記憶しているＲＯＭ２１２、自動取引装置１０の上位制御部３０の通信を制御する通信制御部２１３、及び、時刻を計測するタイマ２１４を備えて構成されている。このタイマ２１４とプログラムとの協働により、本発明のファクタである上位制御部３０との未通信時間が計測される。
【００３０】
この制御部２１のＣＰＵ２１１には、プログラムの実行に用いられる各種のデータやＣＰＵ２１１による処理結果が記憶されるＲＡＭが含まれている。ＲＯＭ２１２には、上位制御部３０からの取込指令や収納指令による入金処理や、出金指令による出金処理のときに、紙幣を識別部２４で識別して所定の入出金庫２２や接客部２６へ搬送して集積する搬送制御プログラムに、紙幣の搬送中におけるジャムに対応する機能等が追加された紙幣入出金処理プログラムが予め格納されている。なお、このプログラムは更新されない。ＣＰＵ２１１とプログラムとの協働により紙幣入出金装置２０の各部位が機能する。また、ＣＰＵ２１１には、現金自動取引装置１０の上位制御部３０と交信して、顧客の本人認証や顧客の口座の入出金を管理する機能等を実現する通常の勘定管理プログラムが、ＲＯＭ２１２に格納されている。
【００３１】
入出金庫２２は、紙幣入出金装置２０の接客部２６から入出金される紙幣を金種別に収納する。接客部２６と入出金庫２２との間をこの搬送部２３が紙幣の搬送を行う。また、紙幣入出金口２６ａは、顧客が紙幣を投入し、または顧客に支払われる紙幣が送り込まれる部分であり、紙幣入出金口２６ａの上部には開閉可能なシャッタ２６ｂ（図１参照）が設けられており、紙幣入出金口２６ａの内部には、図示しないが、紙幣が顧客により挿入され、抜き取られたことを検出する検出センサが設けられている。そして、この入出金庫２２は、機械的な動作を行うため、制御部２１によって後記する省電力モードを実行する場合の対象部位となる。
【００３２】
搬送部２３は、紙幣入出金装置２０における紙幣の搬送を行う部位であり、接客部２６から前記入出金庫２２まで紙幣を搬送する。この搬送部２３は、駆動源として消費電力が多いモータを利用しているため、制御部２１によって省電力モードを実行する場合の対象部位となる。
【００３３】
識別部２４は、発光部材を用いた光学系によって紙幣の認識を行う部位であり、機能安定させるための光量の立ち上がり時間が他部位に比べて長時間必要となる。したがって、制御部２１によって省電力モードで制御するためには、他の部位とは別に対応する必要がある。
【００３４】
また、一時保留部２５は、入出金される紙幣を一時保管する部位であり、前記搬送部２３と同様にモータ等による機械的な動作を行うため、制御部２１によって省電力モードを実行する場合の対象部位となる。
【００３５】
接客部２６は、顧客との間で紙幣の入出金を行う部位である。紙幣入出金口２６ａ及びシャッタ２６ｂ（図１参照）によって顧客との入出金の対応が行われる。
【００３６】
（第１の実施形態）
まず、本発明の第１の実施形態を説明するために、自動取引装置１０の構成要素である紙幣入出金装置２０の入出金取引処理と省電力モードについて図１乃至図３を参照して説明し、省電力モードについては図４のフローチャートをさらに参照して説明する。
【００３７】
まず、入金取引処理において、顧客（利用者）が入金取引を選択し、上位制御部３０から紙幣の取込指令が、通信制御部３３を介して制御部２１に送信されると、ＣＰＵ２１１は、通信制御部２１３を介してこれを受信し、接客部２６の紙幣入出金口２６ａのシャッタ２６ｂを開かせ、顧客が接客部２６内へ紙幣を一括して投入するとシャッタ２６ｂを閉じさせて、搬送部２３での紙幣の通過を監視しながら紙幣の入金処理における取込処理を実行する。
【００３８】
すなわち、制御部２１は、接客部２６から紙幣を１枚ずつ分離して搬送部２３により識別部２４を介して入出金庫２２まで搬送し、識別部２４により紙幣の正損、金種等の鑑別、及び搬送異常の検出等を行うように制御する。識別部２４による識別の結果、金種が確定した入金可能な真券と識別された紙幣は、計数された後、搬送部２３により一時保留部２５に搬送されて集積され、一時保留される。このとき、金種不明あるいは損券と識別された紙幣は、リジェクトされて接客部２６に戻される。接客部２６に投入された紙幣がすべて繰り出されて鑑別及び集積が終了すると、制御部２１は、接客部２６に入金リジェクト紙幣が集積されている場合は、シャッタ２６ｂを開いて顧客に紙幣を返却する。
【００３９】
そして、制御部２１は、一時保留部２５に集積されている紙幣の金額を上位制御部３０へ送信し、これに応答して、上位制御部３０は、顧客操作部１４の画面にその金額を表示させる。この金額を見て顧客が確認ボタンを押下すると、上位制御部３０は、紙幣入出金装置２０の制御部２１へ紙幣の収納指令を送信する。これを受信した制御部２１は、搬送部２３を経て紙幣を入出金庫２２へ収納するように制御する。
【００４０】
一方、出金取引処理においては、顧客が表示部１４ａの画面から顧客操作部１４に入力した出金金額に対応して、上位制御部３０は、紙幣入出金装置２０の制御部２１に紙幣の出金指令を送信する。これを受信した制御部２１は、搬送部２３を介して入出金庫２２からの紙幣の出金処理を実行する。すなわち、制御部２１は、顧客が入力した出金金額に対応する紙幣を入出金庫２２から繰出して識別部２４に搬送させ、識別部２４により紙幣の正損、金種等の鑑別、及び、搬送異常の検出を行うように制御する。
【００４１】
そして、識別部２４による識別の結果、金種が確定した出金可能な紙幣は、搬送部２３を経て接客部２６に搬送されて集積される。出金金額分の紙幣が接客部２６に集積されると、制御部２１は、接客部２６のシャッタ２６ｂを開かせ、集積されている出金紙幣を顧客が取り出すとシャッタ２６ｂを閉じさせる。なお、顧客が出金紙幣を取り忘れた場合、その取忘れ紙幣は、図示しない取忘れ紙幣収納部に搬送されて保管される。
【００４２】
次に、省電力モードについて説明する。
従来、紙幣入出金装置の省電力モードへの移行については、自動取引装置の上位制御部が、近接センサ情報、タッチパネル情報を判定し、長時間使用されていないと判定された場合に、上位制御部が紙幣入出金装置へ省電力モードへの移行を指示していた。
【００４３】
しかしながら、このような構成の装置では、紙幣入出金装置の通常モードと省電力モードとの間の移行が上位制御部の仕様に依存してしまうという問題がある。また、上位制御部の仕様に依存しないように紙幣入出金装置にも近接センサを設けると、コストアップになってしまうという課題があった。また、この場合、紙幣入出金装置全体が省電力モードになってしまい、例えば、ランプ等の発光部材を採用している識別部は、省電力モードから通常モードへの移行時に時間がかかり、顧客が待たされるという問題があった。
【００４４】
そこで、本実施形態においては前記の問題点を解決するために、制御部２１のＣＰＵ２１１が、制御部２１の通信制御部２１３と、通信制御部３３とを介した上位制御部３０との通信が行われていない時間を、タイマ２１４で計測するようにする。なお、この計測時間は、通信制御部２１３と上位制御部３０との間で通信が再開されたとき、割込み処理によりリセットされる。
【００４５】
そして、ＣＰＵ２１１は、この計測時間と、予め、ＲＯＭ２１２に記憶されている所定時間とを比較し、計測時間がこの所定時間を超えた時点で割り込みを発生させ、紙幣入出金装置２０内の接客部２６の紙幣入出金口２６ａのシャッタ２６ｂ部分を除く各部位（入出金庫２２、搬送部２３、識別部２４及び一時保留部２５）を省電力モードに移行させる。
【００４６】
さらに、ＣＰＵ２１１は、紙幣入出金装置２０が省電力モード中に、通信制御部２１３と上位制御部３０との間で通信が再開されたとき他の割り込みを発生させ、紙幣入出金装置２０内の各部位を通常モード移行させる。
【００４７】
さらに、本実施形態では、紙幣入出金装置２０の各部位の中でも省電力モードから通常モードへの立ち上がり時間にそれぞれ差異があることに注目した。すなわち、前記省電力モードに移行させる対象部位である入出金庫２２、搬送部２３、識別部２４及び一時保留部２５の中で、最も立ち上がり時間が必要な部分は、発光部材を用いた光学系によって紙幣の認識を行う部位であり、機能安定させるための立ち上がり時間（安定化時間）が他部位に比べて長時間必要となる識別部２４である。
【００４８】
したがって、本実施形態では、先に述べた省電力モードへの移行時間に差をつけ、識別部２４とそれ以外の部位とで移行時間を異ならせ、立ち上がり時間がかかる部位であるこの識別部２４の省電力化への移行時間を遅くすれば、省電力が図れると共に、顧客の平均的な待ち時間も少なくなることに注目した。
【００４９】
すなわち、本実施形態では、紙幣入出金装置２０において、省電力モードへの移行時間に複数の段階を持たせ、タイマ２１４での計測時間が第１の閾値時間Ｔ１を超えたときの省電力モードでは、復旧時間が短い識別部２４以外の部位を省電力モードに移行させ、次に、計測時間が第２の閾値時間Ｔ２（Ｔ２＞Ｔ１）を超えたときの省電力モードでは、復旧時間が長い識別部２４も省電力モードに移行させるというように、省電力モードへの移行を時間ごと、部位ごとに区別して行うことを特徴とするものである。そして、通信制御部２１３と上位制御部３０との間で通信が再開されたとき、各部位を通常モードに復帰させる。なお、本実施形態では、省電力モードへの移行時間に２段階を持たせたが、３段階以上で実施しても良い
【００５０】
次に、本実施形態の紙幣入出金装置２０における省電力モード移行処理について、図４に示すフローチャートを参照して説明する。
【００５１】
まず、上位制御部３０と制御部２１間の通信が終了した状態から割込み処理が発生して、処理がスタート（ステップＳ１０１）する。
【００５２】
そして、タイマ２１４を用いて、ＣＰＵ２１１がタイマ２１４を用いて時間計数を始める（ステップＳ１０２）。
【００５３】
ＣＰＵ２１１が時間計測を始めて１分間経過（ステップＳ１０３）しても、上位制御部３０と制御部２１との間の通信が無い場合には、省電力モード（１）に移行し、ＣＰＵ２１１は、入出金庫２２、搬送部２３及び一時保留部２５を省電力モードで制御する（ステップＳ１０４）。なお、通信があった場合は、他の割り込みが発生して通信モードに移行する。
【００５４】
次に、これらの各部を省電力モードに移行させてから、さらに１０分計時しても、上位制御部３０と制御部２１との間の通信が無い場合には（ステップＳ１０５）、省電力モード（２）が開始され、ＣＰＵ２１１は、識別部２４を省電力モードで制御し（ステップＳ１０６）、この省電力モードへの移行処理が終了する。
【００５５】
このように、本実施形態においては、紙幣入出金装置２０が稼動されている限り、通常モード、省電力モード（１）又は省電力モード（２）のいずれかの状態にあり続け、顧客対応を行うことができる。
【００５６】
また本実施形態によると、省電力モードから通常モードへの立ち上がりに時間のかかる部位の立ち上がり時間を、平均的に短縮することができるので、全体の省電力モード復旧時間を平均的に短くして待ち時間を減らすことができる。これにより、紙幣入出金装置２０の使用電力を減らすとともに待ち時間も短くすることができる。
なお、省電力モードに移行する所定時間を１分と１０分に採ったが、これはあくまで１例であって、月末であるとか時間帯等の利用実績状況に応じて、最適な時間を選んで設定すればよい。
【００５７】
（第２の実施形態）
次に、本発明の第２の実施形態について説明する。第２の実施形態では、顧客が最初にやり取りを行う紙幣入出金装置２０の接客部２６のみを常に通常モードで制御する。すると、顧客は、紙幣入出金装置２０が省電力モード中であっても、復旧の待ち時間なしに自動取引装置１０を操作することができる。
【００５８】
したがって、紙幣入出金装置２０の制御部２１は、顧客が接客部２６とのやり取りを行っている間に、この間の上位制御部３０と制御部２１間の通信をトリガーとして紙幣入出金装置２０の他の部位を省電力モードから復旧させることが可能になる。
【００５９】
以上のように、本実施形態によれば、顧客に対して紙幣入出金装置２０の省電力モードからの復旧の待ち時間を感じさせないという効果が得られる。
【００６０】
（第３の実施形態）
次に、本発明の第３の実施形態について説明する。この実施形態においては、省電力モードからの復旧を含めた紙幣入出金装置２０の取引処理フローについて図５を参照して説明する。
【００６１】
先ず、上位制御部３０が、省電力モード中か否かを判定する（ステップＳ２０１）。省電力モード中の場合は（Yes）、この段階で、制御部２１が、省電力モードから通常モードに戻す復旧処理を開始し（ステップＳ２０２）、顧客に顧客操作部１４の操作を誘導する等して取引処理を開始させる（ステップＳ２０３）。
【００６２】
この段階で、媒体の受け入れが可能となっている。すなわち、自動取引装置１０の顧客操作部１４は、常に使用可能、及び、接客部２６は、少なくともシャッタ２６ｂの開閉制御が可能であり、カード処理部１１や通帳処理部１２は、キャッシュカード５１や通帳５２を装置内部（例えば、磁気情報の読取位置）まで引き込むことができる。また、紙幣入出力装置２０では、接客部２６が通常モードとなっており、シャッタ２６ｂの開閉制御が可能な状態にある。
【００６３】
その後、制御部２１は、自動取引装置１０の各部が省電力モードから復旧したか否かを判定しながら（ステップＳ２０４）、復旧が終われば、上位制御部３０と共に、取引処理の残った未処理分（例えば、紙幣の分離動作やキャッシュカードや通帳の磁気情報の読取開始）を実行する（ステップＳ２０５）。ここでは、キャッシュカード５１や通帳５２の磁気情報の読み書き、紙幣、貨幣の入出金などの作業が行われる。
【００６４】
なお、ステップＳ２０１で省電力モード中でなかった場合は（No）、通常モードとしてステップＳ２０６でステップＳ２０３及びステップＳ２０５で行われる取引処理を連続して実行する。
【００６５】
以上のように、前記した各実施形態によれば、紙幣入出金装置２０の省電力モードの切り替えを通信制御部２１３と上位制御部３０との間の通信の状態によって行うことにより、上位制御部３０に依存することなく、また、近接センサを等の装置を増やすことなく、紙幣入出金装置２０側で省電力モードの切り替えを実施することができ、その分処理が高速化されるという効果が得られる。さらに、顧客は、取引媒体（紙幣、硬貨、キャッシュカード、通帳）の取り込みが行われるので、通常モードとの差異に気付かず、省電力モードであることを感じさせずに取引処理できる。すなわち、顧客に対して省電力モードからの復旧の待ち時間を感じさせないという効果が得られる。
【００６６】
（変形例１）
この変形例１は、図１乃至図３に示すように、顧客が取引操作を行う顧客操作部１４と、紙幣の入出金を行う紙幣入出金装置２０と、自動取引装置１０各部の制御を行う上位制御部３０とを備える自動取引装置１０についての変形例である。この変形例は、前記した各実施形態の省電力モードを実行する対象部位を紙幣入出金装置２０の各部に限らず、自動取引装置１０において省電力モードを実行の対象部位とすることを特徴とするものである。
【００６７】
紙幣入出金装置２０は、発光部材を用いて紙幣の認識を行う識別部２４を備えており、自動取引装置１０の上位制御部３０が、紙幣入出金装置内部の制御部２１と上位制御部３０との間の通信が予め設定された所定時間以上途絶えた場合に、顧客操作部１４と紙幣入出金装置２０とを除く自動取引装置１０の各部を省電力モードで制御する。
そして、制御部２１は、制御部２１と上位制御部３０との間の通信が紙幣入出金装置２０の識別部２４の発光部材の立ち上がり時間より長い閾値時間以上途絶えた場合に、紙幣入出金装置２０を省電力モードで制御する。
なお、この場合においても、制御部２１と上位制御部３０との間の通信が再開された場合には、前記した各実施形態と同様に、通常モードに復帰して制御する。
【００６８】
（変形例２）
また、本発明は前記した実施形態に限定されるものではなく、例えば以下のような種々の変形が可能である。
前記各実施形態では、本発明を自動取引装置の紙幣入出金装置に用いた場合について説明したが、同様な内容を、硬貨入出金装置に適用することが可能であることは言うまでもない。さらに、ＰＯＳ端末、コピー機、ＦＡＸ機、及び、複合機等に用いることも可能である。
【符号の説明】
【００６９】
１０  自動取引装置
１１  カード処理部
１１ａ  カード挿入排出口
１２  通帳処理部
１２ａ  通帳挿入排出口
１３  明細票処理部
１４  顧客操作部
１４ａ  表示部
１４ｂ  タッチパネル部
１５  内部操作部
１６  硬貨入出金装置
１６ａ  硬貨入出金口
１６ｂ  シャッタ
１７  音声案内部
１７ａ  スピーカ
１８  割込発生器
１９  接近検知部
１９ａ  近接センサ
２０  紙幣入出金装置
２１  制御部
２２  入出金庫  
２３  搬送部
２４  識別部
２５  一時保留部
２６  接客部
２６ａ  紙幣入出金口
２６ｂ  シャッタ
２７  接近検知部
３０  上位制御部
３１  通信部
３２  ＨＤＤ
３３  通信制御部
３５  タイマ
４０  通信部
４１  ネットワーク
４２  記憶装置
２１１  ＣＰＵ
２１２  ＲＯＭ
２１３  通信制御装置
２１４  タイマ
【図１】
2010176601.tif 000003
【図２】
2010176601.tif 000004
【図３】
2010176601.tif 000005
【図４】
2010176601.tif 000006
【図５】
2010176601.tif 000007